(57)【要約】      （修正有）【課題】電気ケーブルを設置する際に、電源ケーブルにかかる負荷を軽減し、又、インテリアとしても通用するケーブルモールを提供する。【解決手段】本製品１は、電気ケーブルの大きさに合わせた凹部２を有し、同部分に電気ケーブルを設置する事で、外部からの振動および衝撃の影響を軽減する事が出来る。又、絶縁素材を使用する事による、電気信号の安定を考慮されている。又、石材、陶器、木材を使用することで、インテリアとしても通用する置物として考慮されている。【選択図】図１
0003194607.tif 000002
【実用新案登録請求の範囲】
【請求項１】
電気ケーブルが設置可能な凹部又は凸部が有るケーブルモール。
【請求項２】
電気ケーブルが設置可能な穴が空いているケーブルモール。
【請求項３】
積み重ねる事が可能な請求項１又は請求項２に記載のケーブルモール。
【請求項４】
並べる事が可能な請求項１又は請求項２に記載のケーブルモール。
【請求項５】
石材により形成されている請求項１〜４のいずれかに記載のケーブルモール。
【考案の詳細な説明】
【技術分野】
【０００１】  本考案は、電気ケーブル設置時に用いられるケーブルモールに関する。
【背景技術】
【０００２】  一般に、電気ケーブルを設置する際には、電源供給部及び電気使用部分を繋ぐ形で配線及び設置を行う。この時、電気ケーブルをそのまま設置する場合が有るが、外部からの振動及び衝撃により損傷する恐れが有る。【０００３】  振動及び衝撃による損傷を恐れを軽減する為、樹脂及びプラスチックによりケーブルモールを使用する場合が有るが、同製品自体が振動及び衝撃により損傷やズレを生じる場合が有り、電気ケーブルに負荷を加える結果を招いていた。
【考案の概要】
【考案が解決しようとする課題】
【０００４】  電気ケーブルが振動及び衝撃により損傷する事を防ぐとともに、ケーブルモール自体が損傷及びズレを生じた際に、電気ケーブルにかかる負荷を軽減するケーブルモールを提供することにある。
【課題を解決するための手段】
【０００５】  上記目的を達成する為に、ケーブルモールを容易に破損しない石材、陶器、木材等にて提供することにある。【０００６】  請求項１に記載の考案のケーブルモールは、石材、陶器、木材等にて形成されている事を特徴とする。【０００７】  請求項１に記載の考案のケーブルモールは、電気ケーブルの固定が可能な凹部もしくは凸部を有することを特徴とする。【０００８】  請求項２に記載の考案のケーブルモールは、電気ケーブルの固定が可能な穴を有することを特徴とする。【０００９】  請求項３に記載の考案のケーブルモールは、請求項１又は請求項２に係わる考案において、積み重ねて使用可能なことを特徴とする。【００１０】  請求項４に記載の考案のケーブルモールは、請求項１又は請求項２に係わる考案において、並べて使用可能なことを特徴とする。【００１１】  請求項５に記載の考案のケーブルモールは、請求項１又は請求項２に係わる考案において、石材により形成されていることを特徴とする。
【考案の効果】
【００１２】  本考案によれば、次のような効果を発揮することができる。請求項１に係わる考案のケーブルモールは、電気ケーブルを凹部内に設置する事により、電気ケーブルに直接振動及び衝撃が伝わる事を軽減し、損傷する事を防ぐ。同時に、凹部内に設置の電気ケーブルと、凹部外の電気ケーブルが絡まる事を防ぐ事が可能となり、電気ケーブルの設置が容易となる。【００１３】  さらに請求項１に係わる考案のケーブルモールは、電気ケーブルを凸部に設置する事により、電気ケーブルに直接振動及び衝撃が伝わる事を軽減し、損傷する事を防ぐ。同時に、凸部に設置の電気ケーブルと、凸部外の電気ケーブルが絡まる事を防ぐ事が可能となり、電気ケーブルの設置が容易となる。【００１４】  さらに請求項２に係わる考案のケーブルモールは、電気ケーブルを穴内部に設置する事により、電気ケーブルに直接振動及び衝撃が伝わる事を軽減し、損傷する事を防ぐ。同時に、穴内部に設置の電気ケーブルと、穴外部の電気ケーブルが絡まる事を防ぐ事が可能となり、電気ケーブルの設置が容易となる。【００１５】  さらに請求項３に係わる考案のケーブルモールは、積み重ねて使用する事で、電気ケーブルを上下に配置する際に直接振動及び衝撃が伝わる事を軽減し、損傷する事を防ぐ。また、複数の電気ケーブルを設置する際に、各電気ケーブルが絡まる事を防ぐ事が可能となり、電気ケーブルの設置が容易となる。【００１６】  さらに請求項４に係わる考案のケーブルモールは、並べて使用する事で、電気ケーブルの配置される長さに合わせて、直接振動及び衝撃が伝わる事を軽減し、損傷する事を防ぐ。また、複数の電気ケーブルを設置する際に、各電気ケーブルが絡まる事を防ぐ事が可能となり、電気ケーブルの設置が容易となる。【００１７】  さらに請求項５に係わる考案のケーブルモールは、特に絶縁素材である石材を使用する事で、電気信号の伝達阻害を防ぐ事が可能である。【００１８】  さらに請求項５に係わる考案のケーブルモールは、比重０．４の木材である杉、比重１．４の樹脂である塩化ビニルに対し、比重２．７である石材を使用する事で、同じ大きさで製作された別素材に比べ、電気ケーブルの曲げモーメントを高く往なす事が可能である。これにより、振動及び衝撃によるズレを防ぐ事が可能である。
【図面の簡単な説明】
【００１９】
【図１】第１実施形態における本製品の外観図である。
【図２】第２実施形態における本製品の外観図である。
【図３】第３実施形態における本製品の外観図である。
【図４】第４実施形態における本製品の外観図である。
【図５】第５実施形態における本製品の外観図である。
【図６】第６実施形態における本製品の外観図である。
【考案を実施するための形態】
【００２０】  （第１実施形態）
図１に示すように、本製品１は、電気ケーブルの大きさに合わせた凹部２を有し、同部分に電気ケーブルを設置する事で、外部からの振動および衝撃の影響を軽減し、損傷することを防ぐ。
【００２１】  （第２実施形態）
図２に示すように、本製品３には凹部４及び凹部５の溝が設けられている。凹部４及び凹部５に電気ケーブルを設置する事で、電気ケーブルに直接振動及び衝撃が伝わる事を軽減し、損傷する事を防ぐ。しかも、凹部に沿って電気ケーブルを設置する事で、特定の曲げモーメントによる電気ケーブルの設置が可能となり、過度な曲げモーメントによる損傷を防ぐ。
【００２２】（第３実施形態）
図３に示すように、本製品６には凹部７及び凹部８の溝が設けられている。凹部７及び凹部８に電気ケーブルを設置する事で、電気ケーブルに直接振動及び衝撃が伝わる事を軽減し、損傷する事を防ぐ。しかも複数の電気ケーブルを同時に設置する事が可能であり、各電気ケーブルが絡まる事を防ぐ事が可能となり、電気ケーブルの設置が容易となる。
【００２３】  （第４実施形態）
図４に示すように、本製品９には貫通した穴１０が設けられている。穴部１０に電気ケーブルを設置する事で、電気ケーブルに直接振動及び衝撃が伝わる事を軽減し、損傷する事を防ぐ。しかも、穴部１０に電気ケーブルを設置する事で、多方向への曲げモーメントが発生している電気ケーブルに対しても、安定した設置が可能となり、電気ケーブルの設置が容易となる。
【００２４】  （第５実施形態）
図５に示すように、凹部１２の溝を有する本製品１１を積み重ね、凹部１２に電気ケーブルを設置する事で、電気ケーブルに直接振動及び衝撃が伝わる事を軽減し、損傷する事を防ぐ。しかも複数の電気ケーブルを同時に設置する事が可能であり、各電気ケーブルが絡まる事を防ぐ事が可能となり、電気ケーブルの設置が容易となる。
【００２５】  （第６実施形態）
図６に示すように、凹部１４の溝を有する本製品１３を並べ、凹部１４に電気ケーブルを設置する事で、電気ケーブルに直接振動及び衝撃が伝わる事を軽減し、損傷する事を防ぐ。しかも電気ケーブルの設置長に合わせて設置数を変える事が可能となり、電源ケーブルの設置が容易となる。
【００２６】  各実施形態の本製品は、インテリアとしても通用する置物として考慮されている。石材、陶器、木材等が提供できる。
【００２７】  各実施形態の本製品は、特に絶縁素材である石材を使用する事で、電気信号の伝達阻害を防ぐ事が可能である。
【図１】
0003194607.tif 000003
【図２】
0003194607.tif 000004
【図３】
0003194607.tif 000005
【図４】
0003194607.tif 000006
【図５】
0003194607.tif 000007
【図６】
0003194607.tif 000008